(57)【要約】      （修正有）【課題】ハンカチのサイズや素材にも注意をはらい、生理用ナプキンの存在がわからないよう工夫を凝らし、収納し、かつ通常のハンカチとして使用できるナプキン収納ハンカチを提供する。【解決手段】ハンカチを上下左右３等分し、上から１／３下がった線と左右３等分線の交点近くに雌スナップを各１個配置し、下端の左右３等分線の近くに雄スナップボタンを各１個を配置する。そして下端を下から１／３まで折る。スナップボタンをはめ、出来た６部分のポケットに生理用ナプキンを収納し、収納されている生理用ナプキンを中心として、左側から３等分に折りたたむ。さらに左側から折り、その上端を下端につくように折る。以上によりナプキン収納ハンカチを持ち運ぶときに普通のハンカチに見えることを特徴とする。【選択図】図２
0003176610.tif 000002
【実用新案登録請求の範囲】
【請求項１】
ハンカチを上下左右３等分し、上から１／３下がった線と左右３等分線の交点近くに雌スナップを各１個配置し、下端の左右３等分線の近くに雄スナップを各１個を配置したことを特徴とするナプキン収納ハンカチ。
【請求項２】
スナップボタンは力布を介して縫着したことを特徴とする請求項１のナプキン収納ハンカチ。
【考案の詳細な説明】
【技術分野】
【０００１】  本考案はたたみ方と、とめ方でナプキン収納袋に変化するハンカチに関するものである。
【背景技術】
【０００２】  従来、外出先でトイレを使用したあと、手洗いをするが、備え付けのタオルやペーパーがない場合は手持ちのハンカチで手を拭う必要があり、ハンカチはトイレに行く際、持っていく必要なものである。【０００３】  また、トイレは女性にとっては、大小便の為だけではなく生理の時にも利用するものであり、その為、女性は生理時にトイレを利用する際には、生理用ナプキンを持ち込む必要がある。【０００４】  生理の日には、職場や学校等で異性の目を気にしてトイレに生理用ナプキンを持ち込むために、従来ポーチ等を利用しているが、会社等では「トイレにポーチは必要か。」と上司に厳しい目で見られたり、特に最近の女子は初潮が低年齢化し（早ければ小学校１，２年生）、更にその頃の子供は、みんなと同じでなければ辛いと言う強い心がある。そのような幼い子供に生理が来た場合、生理でも生理が来てない子と同じように自然にトイレに行かせたいと言う親御さんがいる事も事実である。しかし良い方法がなかった。そのような状態で異性はもちろんの事、同性の子供の目からも、生理のためにトイレに行く事を気付かれず行動したいと言う希望が多くなって来ている事を多く聞く。【０００５】  その為、トイレに生理用ナプキンを通常のトイレに行く時と同じように自然に持ち込む事ができるのは、常にトイレに持ち込む事が自然なハンカチを利用する事である。【０００６】  しかし、生理用ナプキンをハンカチに包んでも、かさばったり生理用ナプキンが見えてしまったり、うっかり生理用ナプキンを落としてしまう事があるように、不自然でもあり、不便であった。特に低年齢の女子の場合、トイレに生理用ナプキンを持ち込む事に苦労しているという実例を多く耳にした。
【考案の概要】
【考案が解決しようとする課題】
【０００７】  この考案の課題は、ナプキン収納ハンカチをトイレに持って行っても自然に見せることである。このナプキン収納ハンカチは生理用ナプキンが見えてしまったり、うっかり生理用ナプキンを落としてしまう心配のないよう、たたみ方を工夫し、スナップボタンをつけ、ナプキンを収納することができることである。更にナプキン使用後は、通常のハンカチとしても使用できるハンカチを考案し、提案するものである。
【課題を解決するための手段】
【０００８】  この考案による課題を解決する為の手段として、ハンカチのサイズや素材にも注意をはらい、生理用ナプキンの存在がわからないように工夫を凝らし、収納すること及び通常にハンカチとしても使用できることを実現することである。
【考案の効果】
【０００９】  この考案によるとハンカチに使用される素材の生地を用い、たたみ方の工夫で、スナップボタンを付け、その部分に生理用ナプキンを入れることにより、この考案の要である生理用ナプキンの存在を、他人から気づかれずに持ち歩くことが可能である。【００１０】  ナプキン収納ハンカチ内に納まった生理用ナプキンは、落下することもなく、通常トイレを利用する際と同様にナプキンを持ち込む事が可能で、特に低年齢で初潮を迎えた女子には有益な効果を有するものである。【００１１】  この方法は、生理用ナプキンを入れて持ち運ぶだけでなく、その他化粧品ティッシュ等を忍ばせる事も可能である。その為、すべての女性に有益な効果を有するものである。
【図面の簡単な説明】
【００１２】
【図１】この考案の実施例の第１ステップを示す。
【図２】この考案の実施例の第２ステップを示す。
【図３】この考案の実施例の第３ステップを示す。
【図４】この考案の実施例の第４ステップを示す。
【図５】この考案の実施例の第５ステップを示す。
【図６】スナップボタンを力布を介して装着した例を示す。
【考案を実施するための形態】
【００１３】  以下この考案の一実施形態について述べる。ナプキン収納ハンカチの本体部分は通常ハンカチとして使用される布製である。
【実施例】
【００１４】  この考案の一実施例を図面に従って説明する。図１に示すように、一般的にハンカチに用いられる綿、綿混、麻、麻混あるいはシルク素材等のハンカチ位のサイズ縦４５ｃｍ前後  横４０ｃｍ前後の布、端を三つ折り縫い、巻ロック、千鳥縫い等をした布を用い、ハンカチを上下左右３等分し、上から１／３下がった線と左右３等分線の交点近くに雌スナップを各１個配置し、下端の左右３等分線の近くに雄スナップボタンを各１個を配置する。そして図の点線のように下端を下から１／３まで折る。それが図２である。スナップボタンをはめ、出来た６部分のポケットに生理用ナプキンを収納し、収納されている生理用ナプキンを中心として、左側から点線のように３等分に折りたたむ。それが図３である。さらにそれを点線のように左側から折る。それが図４である。更にその上端を下端につくように点線のように折る。それが図５である。以上の処理をすることによりナプキン収納ハンカチを持ち運ぶときに普通のハンカチに見えることを特徴とした、たたみ方の工夫でナプキンを収納できるナプキン収納ハンカチが出来る。【００１５】  図６はハンカチ布の素材の強度を補うために、スナップボタンを力布を介してとめることもあり、その部分を切り取って示したものである。力布は縫着７（点線）してある。なお力布は縫着せず使用したり縫着方法は限定しない。【００１６】  なお、たたみ方［図２］、［図３］、［図４］、［図５］の順番は入れ替わっても良い。【００１７】  従ってこの考案の布は既成のハンカチでも良く、サイズに合わせてカットして利用しても良いものである。【００１８】  ハンカチ位のサイズとしては、１辺が、２０〜６０ｃｍ位の布製で、これを縦横それぞれ１／３に折り、最終的な大きさは、使用した生地サイズにより異なる。【００１９】    図面では、スナップボタン３とは汎用的な、凹部分と凸部分でできているボタンであり、凹と凸は逆転の使用も可。これに限らず、ファスナー、面ファスナー、ボタンどめでも良く、着脱できるなら特に限定しない。【００２０】  更にとめ具のスナップボタン３は、１組ずつ計２組をつけたものを紹介しているが、スナップボタン３は収納物によって大きさや、数は限定しない。
【符号の説明】
【００２１】  １・・・ナプキン収納ハンカチ
２・・・ハンカチ
３・・・スナップボタン
４・・・生理用ナプキン
５・・・力布
６・・・収納部分
７・・・縫い目
【図１】
0003176610.tif 000003
【図２】
0003176610.tif 000004
【図３】
0003176610.tif 000005
【図４】
0003176610.tif 000006
【図５】
0003176610.tif 000007
【図６】
0003176610.tif 000008